(57)【要約】      （修正有）【課題】再利用可能なパッケージ袋を提供する。【解決手段】コーヒー豆、コーンフレーク、洗剤、ペットフードなどの内容物が収納されているパッケージ袋本体１０を有し、パッケージ袋本体１０には、紐通し孔１０ｄが予め設けられており、紐通し孔１０ｄには、店頭販売時、又は、店頭販売後に、任意に、ポリエステル素材のドローコードや、革製の紐Ｓを挿通できるようになっている。そして、この紐通し孔１０ｄには、ハトメ１１が設けられている。【選択図】図１
0003224537.tif 000002
【実用新案登録請求の範囲】
【請求項１】
所定の内容物が収納されているパッケージ袋本体を有し、
前記パッケージ袋本体には、紐通し孔が予め設けられており、
前記紐通し孔には、店頭販売時、又は、店頭販売後に、任意に、所定の紐が挿通できるようになっているパッケージ袋。
【請求項２】
前記紐通し孔には、ハトメが設けられている請求項１に記載のパッケージ袋。
【考案の詳細な説明】
【技術分野】
【０００１】
本考案は、再利用可能なパッケージ袋に関する。
【背景技術】
【０００２】
従来のパッケージ袋として、例えば、特許文献１に記載のようなものが知られている。このようなパッケージ袋は、コーヒー豆、コーンフレーク、洗剤、ペットフードなどの内容物を収納して使用される。
【先行技術文献】
【特許文献】
【０００３】
【特許文献１】実公開昭５６−１３１３４８号公報
【考案の概要】
【考案が解決しようとする課題】
【０００４】
しかしながら、上記のようなパッケージ袋は、内容物を使用すると、ゴミとして捨ててしまっているのが現状であり、近年注目されている地球環境の問題に鑑み、再利用を望む声が高まってきている。
【０００５】
そこで、本考案は、上記問題に鑑み、再利用可能なパッケージ袋を提供することを目的としている。
【課題を解決するための手段】
【０００６】
上記本考案の目的は、以下の手段によって達成される。なお、括弧内は、後述する実施形態の参照符号を付したものであるが、本考案はこれに限定されるものではない。
【０００７】
請求項１のパッケージ袋によれば、所定の内容物が収納されているパッケージ袋本体（１０，１０Ａ）を有し、
前記パッケージ袋本体（１０，１０Ａ）には、紐通し孔（１０ｄ）が予め設けられており、
前記紐通し孔（１０ｄ）には、店頭販売時、又は、店頭販売後に、任意に、所定の紐（Ｓ）が挿通できるようになっていることを特徴としている。
【０００８】
また、請求項２の考案によれば、上記請求項１に記載のパッケージ袋において、前記紐通し孔（１０ｄ）には、ハトメ（１１）が設けられていることを特徴としている。
【考案の効果】
【０００９】
次に、本考案の効果について、図面の参照符号を付して説明する。なお、括弧内は、後述する実施形態の参照符号を付したものであるが、本考案はこれに限定されるものではない。
【００１０】
請求項１の考案によれば、店頭販売時、又は、店頭販売後に、任意に、所定の紐（Ｓ）を挿通できる紐通し孔（１０ｄ）をパッケージ袋本体（１０，１０Ａ）に予め設けているから、再利用可能なパッケージ袋を提供することが可能となる。
【００１１】
また、請求項２の考案によれば、紐通し孔（１０ｄ）にハトメ（１１）が設けられているから、紐通し孔（１０ｄ）を補強することができる。
【図面の簡単な説明】
【００１２】
【図１】（ａ）は、本考案の一実施形態に係るパッケージ袋の正面斜視図、（ｂ）は、（ａ）の二点鎖線で示す円部分の拡大図である。
【図２】同実施形態に係る紐付きのパッケージ袋の紐を肩からかけた状態を示す斜視図である。
【図３】同実施形態に係る紐付きのパッケージ袋の紐を首からかけた状態を示す斜視図である。
【図４】同実施形態に係る紐付きのパッケージ袋の紐を吊下げ什器に引っ掛けた状態を示す正面斜視図である。
【図５】（ａ）は、他の実施形態に係るパッケージ袋の斜視図、（ｂ）は、（ａ）の二点鎖線で示す円部分の拡大図である。
【考案を実施するための形態】
【００１３】
以下、本考案の一実施形態を、図面を参照して具体的に説明する。なお、以下の説明において、上下左右の方向を示す場合は、図示正面から見た場合の上下左右をいうものとする。
【００１４】
図１（ａ）に示す本実施形態に係るパッケージ袋１は、二軸延伸ポリプロピレン、無延伸ポリプロピレン、樹脂、紙、布などで形成されており、内部には、コーヒー豆、コーンフレーク、洗剤、ペットフードなどの所定の内容物を収納できるようになっている。具体的には、このパッケージ袋１は、図１（ａ）に示すように、略矩形状のパッケージ袋本体１０を備えている。このパッケージ袋本体１０は、図１（ａ）に示すように、天部１０ａに設けられている開口部（図示せず）を折り畳んで閉止できるロールアップ型に形成されている。そして、このパッケージ袋本体１０の天部１０ａ側の左側部１０ｂ側には、紐通し孔１０ｄが貫通して設けられ、パッケージ袋本体１０の天部１０ａ側の右側部１０ｃ側には、紐通し孔１０ｄが貫通して設けられている。すなわち、一対の紐通し孔１０ｄが、パッケージ袋本体１０に設けられている。この一対の紐通し孔１０ｄは、パッケージ袋１を製造する製造時に、パンチ等を用いて打ち抜き加工されたものであり、円形状（例えば、直径約３〜４ｍｍ程度）に形成されている。そして、この一対の紐通し孔１０ｄには、図１（ｂ）に示すように、ハトメ１１が設けられている。しかして、このようにハトメ１１を設けることにより、一対の紐通し孔１０ｄを補強することができる。
【００１５】
かくして、上記のように一対の紐通し孔１０ｄが設けられたパッケージ袋１には、図１に示すように、任意に、紐Ｓを挿し通すことができるようになる。すなわち、この紐Ｓは、ポリエステル素材のドローコードや、革製の紐等からなり、一対の紐通し孔１０ｄ内に挿し通すことができるように、一対の紐通し孔１０ｄの径よりも若干径小（例えば、直径約２〜３ｍｍ程度）に形成されている。しかして、このような紐Ｓを、パッケージ袋１を店頭にて販売する際、又は、パッケージ袋１を店頭にて販売後に、一対の紐通し孔１０ｄ内に、挿し通すようにすれば、図１（ａ）に示すように、紐Ｓ付きのパッケージ袋１を形成することができることとなる。すなわち、所定の内容物が収納されたパッケージ袋１を販売するにあたって、紐Ｓ付きのパッケージ袋１として販売することもできるし、紐Ｓは別売りにして、購入者に後で付けてもらうこともできる。これにより、テイクアウト用の袋が不要となる。
【００１６】
かくして、上記のように形成された紐Ｓ付きのパッケージ袋１を使用するにあたっては、図２に示すように、紐Ｓを、人Ｍの肩からかけて使用することができる。これにより、ショルダーバックのように使用することができる。また、図３に示すように、紐Ｓを、人Ｍの首からかけて使用することができる。これにより、トートバックのように使用することができる。しかして、このように使用すれば、パッケージ袋１内に収納されている内容物を使用した後、バックとして使用することが可能となる。また、図２又は図３に示すように、人Ｍが紐Ｓ付きのパッケージ袋１を身に着けるようすれば、街頭プロモーション時に活用することができる。例えば、パッケージ袋１を購入した購入者が、図２又は図３に示すように、紐Ｓ付きのパッケージ袋１を身に着け、街中を歩けば、自然とプロモーションに繋がることとなる。さらには、販売プロモーション時、売り子が、図２又は図３に示すように、紐Ｓ付きのパッケージ袋１を身に着けるようにすれば、プロモーションに活用することが可能となる。
【００１７】
また一方、図２又は図３に示すように、人Ｍが紐Ｓ付きのパッケージ袋１を身に着けるようすれば、口コミやインスタ映えの効果を期待することができる。
【００１８】
他方、紐Ｓ付きのパッケージ袋１がお菓子袋であった場合、図２又は図３に示すように、人Ｍが紐Ｓ付きのパッケージ袋１を身に着けるようすれば、食べ歩きしやすいという効果がある。さらに、紐Ｓ付きのパッケージ袋１がペットフード袋であった場合、図２又は図３に示すように、人Ｍが紐Ｓ付きのパッケージ袋１を身に着けるようすれば、ペット散歩時のエチケット袋として再利用できるという効果がある。そしてさらに、紐Ｓ付きのパッケージ袋１が洗濯用洗剤袋であった場合、コインランドリーに行く際に、図２又は図３に示すように、人Ｍが紐Ｓ付きのパッケージ袋１を身に着け出かけることができるという効果がある。
【００１９】
一方、図４に示すように、紐Ｓ付きのパッケージ袋１を、店頭で販売する際、吊下げ什器Ｆ（図示では、フックを例示）に紐Ｓを引っ掛けて販売するようにしても良い。これにより、今まで棚置き陳列していた商材を、吊下げ什器Ｆ（図示では、フックを例示）を用いて販売することが可能となる。そしてさらに、ファッションアイテムや、おしゃれ雑貨感覚で販売することが可能となる。なお、勿論、紐Ｓ付きのパッケージ袋１を、店頭で販売する際、吊下げ什器Ｆ（図示では、フックを例示）を用いて販売しなくとも、陳列するだけでも、ファッションアイテムや、おしゃれ雑貨感覚で販売することが可能である。
【００２０】
しかして、以上説明した本実施形態によれば、店頭販売時、又は、店頭販売後に、任意に、紐Ｓを挿し通すことができる一対の紐通し孔１０ｄをパッケージ袋１に設けることにより、再利用可能なパッケージ袋１を提供することが可能となる。これにより、従来においては、不要となればゴミとして破棄されていたパッケージ袋１にファッション性、実用性を持たせ、商品化、プロモーション活動のアイテムとして活用することが可能となる。また、パッケージ袋１に紐Ｓを付けることで新たな商品として再販することが可能となり、もって、ゼロの価値だったものを売り上げに変えることができる。さらに、第三者とのコラボレーションを行い、イベントなどで使用することで素材提供者（コーヒースタンドやロースター等）が低コストでプロモーションをすることができる。
【００２１】
なお、本実施形態において示した形状等はあくまで一例であり、実用新案登録請求の範囲内において、種々の変形・変更が可能である。例えば、本実施形態において示した紐Ｓ付きのパッケージ袋１は、あくまで一例であり、ジップ付き、筒状等、どのようなパッケージ袋にも適用可能である。例えば、図５（ａ）に示すようなパッケージ袋１Ａにも適用可能である。なお、以下の説明において、上記説明したパッケージ袋１と同一の構成に関しては、同一の符号を付し説明は省略することとする。
【００２２】
図５（ａ）に示すように、パッケージ袋１Ａは、略矩形状のパッケージ袋本体１０Ａを備えている。このパッケージ袋本体１０Ａは、図５（ａ）に示すように、天部１０Ａａに設けられている開口部（図示せず）をジップ１０ｅＡにより開閉することができるジップ型に形成されている。そして、このパッケージ袋本体１０Ａのジップ１０ｅＡよりやや下側の左側部１０Ａｂ側には、紐通し孔１０ｄが貫通して設けられ、パッケージ袋本体１０Ａのジップ１０ｅＡよりやや下側の右側部１０Ａｃ側には、紐通し孔１０ｄが貫通して設けられている。すなわち、一対の紐通し孔１０ｄが、パッケージ袋本体１０Ａに設けられている。
【００２３】
かくして、上記のように一対の紐通し孔１０ｄが設けられたパッケージ袋１Ａには、図５に示すように、任意に、紐Ｓを挿し通すことができるようになる。しかして、このようなパッケージ袋１Ａにおいても、店頭販売時、又は、店頭販売後に、任意に、紐Ｓを挿し通すことができることとなるから、再利用可能なパッケージ袋１Ａを提供することが可能となる。それゆえ、パッケージ袋１Ａは、上記説明したパッケージ袋１と同様の効果を奏することとなる。
【００２４】
なお、図５に示すパッケージ袋１Ａには、紐通し孔１０ｄにハトメ１１を設けていないが設けても良い。ハトメ１１を設けるのは、紐通し孔１０ｄを補強する役割であるから、パッケージ袋の素材強度が強ければ、特段設ける必要はない。勿論、設けても良い。すなわち、紐通し孔１０ｄにハトメ１１を設けるか設けないかの選択は、任意にすることができる。
【００２５】
一方、本実施形態において例示した紐通し孔１０ｄの形状は、あくまで一例であり、パッケージ袋の大きさやデザイン、素材強度に応じて調整するようにすれば良い。
【符号の説明】
【００２６】
１，１Ａ              パッケージ袋
１０，１０Ａ          パッケージ袋本体
１０ｄ                紐通し孔
１１                  ハトメ
【図１】
0003224537.tif 000003
【図２】
0003224537.tif 000004
【図３】
0003224537.tif 000005
【図４】
0003224537.tif 000006
【図５】
0003224537.tif 000007